(57)【要約】【課題】ランプを効率よく冷却しつつ小型化、薄型化を図る上で有利なプロジェクタ装置を提供する。【解決手段】軸流ファン５４は、第１の排気口２２Ａにファン排出口６２を対向させかつ第２のファン吸入口６０が第２の側面（左側面１２Ｅ）の反対側に位置するように配置されている。レフレクタ４８は次のように配置されている。すなわち、筐体１２の内部でファン排出口６２と第１の排気口２２Ａの間に、前端部４８Ａを除いた側部４８Ｃの両側をファン排出口６２および第１の排気口２２Ａに対向させている。また、後端部４８Ｂを第２の排気口２２Ｂに対向させている。さらに空気排出口５２が第２のファン吸入口６０の近傍に位置するように配置されている。【選択図】図１
2010181579.tif 000002
【特許請求の範囲】
【請求項１】
筐体と、
光を発生するランプと、前記ランプを収容し前記ランプで発生した光を反射させるレフレクタと、前記ランプを含む前記レフレクタの内部を冷却するための空気を前記レフレクタの内部に供給する空気供給口と、前記ランプを含む前記レフレクタの内部を冷却したのちの空気を前記レフレクタの外部に排出する空気排出口とを有する光源装置と、
前記光源装置の光を用いて画像投影光束を生成し出射して画像をスクリーンに投影する映像投影部と、
羽根車と、前記羽根車の外周を囲み前記羽根車の回転軸方向の両端が第１のファン吸入口およびファン排出口として形成されたケースと、前記羽根車の外周を囲む前記ケースの一部に形成された第２のファン吸入口とを有する軸流ファンとを備え、
前記軸流ファンは、前記空気排出口の近傍に前記第２のファン吸入口を位置させて配置されている、
プロジェクタ装置。
【請求項２】
前記筐体外部の空気を前記筐体の内部に吸い込んで前記レフレクタの内部に供給する第１の供給路と、前記ランプを含む前記レフレクタの内部を冷却したのちの空気を前記筐体の外部に排出する第１の排気路とを有する第１の冷却用空気供給部を更に備え、
前記第１の排気路は、前記ランプを含む前記レフレクタの内部を冷却したのちの空気が、前記空気排出口から前記レフレクタの外部に排出され前記筐体の内部空間を通って前記第２のファン吸入口に至る第１の排気経路を有している、
請求項１記載のプロジェクタ装置。
【請求項３】
前記レフレクタは、光が出射される前端部と、前記前端部の反対側に位置する後端部と、前記前端部と後端部とを接続する側部とを有し、
前記空気供給口および前記空気排出口は前記前端部の互いに離された箇所に形成され、
前記軸流ファンと前記リフレクタは、前記ファン排出口が前記レフレクタの前記前端部を除いた前記側部に対向し、かつ、前記光源装置の前記空気排出口と前記軸流ファンの前記第２のファン吸入口とが互いに近傍に位置するように配置されている、
請求項１または２記載のプロジェクタ装置。
【請求項４】
前記筐体は互いに直交する第１の側面と第２の側面とを有し、
前記第２の側面寄りの前記第１の側面の箇所に第１の排気口が形成され、
前記第１の側面寄りの前記第２の側面の箇所に第２の排気口が形成され、
前記軸流ファンは、前記第１の排気口に前記ファン排出口を対向させかつ前記第２のファン吸入口が第２の側面の反対側に位置するように配置され、
前記レフレクタは、光が出射される前端部と、前記前端部の反対側に位置する後端部と、前記前端部と後端部とを接続する側部とを有し、
前記空気供給口および前記空気排出口は前記前端部の互いに離された箇所に形成され、
前記レフレクタは、前記筐体の内部で前記ファン排出口と前記第１の排気口の間に、前記前端部を除いた側部の両側を前記ファン排出口および前記第１の排気口に対向させかつ前記後端部を前記第２の排気口に対向させさらに前記空気排出口が前記第２のファン吸入口の近傍に位置するように配置され、
前記第１の排気路は、前記第１の排気経路に続き前記ランプを冷却したのちの空気が、前記ファン排出口から前記側部を冷却したのち前記第１の排気口および前記第２の排気口に至る第２の排気経路を有している、
請求項２記載のプロジェクタ装置。
【請求項５】
前記筐体外部の空気を吸い込んで前記光源装置以外の箇所を冷却する第２の供給路と、前記光源装置以外の箇所を冷却したのちの空気を前記筐体の外部に排出する第２の排気路とを有する第２の冷却用空気供給部を更に備え、
前記第２の供給路の下流端は前記筐体の内部空間を通って前記第１のファン吸入口に連通され、
前記第２の排気路は、前記光源装置以外の箇所を冷却したのちの空気が前記第１のファン吸入口から前記ケース内に吸い込まれ、前記ランプを冷却したのちの空気と合流し、前記側部を冷却したのち前記第１の排気口および前記第２の排気口に至る前記第２の排気経路を第１の排気路と共有している、
請求項４記載のプロジェクタ装置。
【請求項６】
前記ケースは、ケース本体とカバー部材とを有し、
前記ケース本体は、前記第１のファン吸入口が開口された板部と、前記開口の周囲から起立し前記羽根車が収容される円柱状の空間を仕切る筒部とを備え、
前記筒部は、その全周にわたり該筒部の内部と外部とを連通する空気流通部が形成されており、
前記カバー部材は前記筒部の周方向の一部の前記空気流通部を露出させると共に残りの空気流通部を覆っており、
前記第２のファン吸入口は、前記カバー部材から露出する前記筒部の周方向の一部の前記空気流通部で構成されている、
請求項１記載のプロジェクタ装置。
【発明の詳細な説明】
【技術分野】
【０００１】
本発明はプロジェクタ装置に関する。
【背景技術】
【０００２】
筐体と、筐体内部に設けられた光源装置と、筐体内部に設けられ光源装置で発生された光から画像投影光束を生成して出射し画像をスクリーンに投影する映像投影部とを備えるプロジェクタ装置が提供されている。
上記光源装置は、光を発生するランプとして高出力の放電ランプを用いている。
この種のランプは動作に伴い高温となることから、ランプに冷却用の空気を当てて冷却することがランプの輝度を確保し、また、ランプの寿命を延ばす上で必要となる。
そこで、冷却用空気をランプに衝当させる専用の冷却用ファンと、ランプに衝当されたのちの加熱された冷却用空気を筐体内部の空気と混合し、筐体外部に導くための排気用ファンとを設けたプロジェクタ装置が提案されている（特許文献１参照）。
このプロジェクタ装置では、排気用ファンとして、羽根車と、羽根車の外周を囲み羽根車の回転軸方向の両端がファン吸入口およびファン排出口として形成されたケースとを有する軸流ファンを用いている。
軸流ファンは、ファン吸入口をランプに向け、ファン排出口を筐体に設けられた排気用の開口に向けて配置されている。
【先行技術文献】
【特許文献】
【０００３】
【特許文献１】特開２００５−３２６８９１号公報
【発明の概要】
【発明が解決しようとする課題】
【０００４】
しかしながら、上記従来技術では、ランプを冷却したのちの冷却用空気を軸流ファンのファン吸入口に円滑に導くための空気経路として広いスペースを確保する必要があることからプロジェクタ装置の小型化、薄型化を図る上で不利があった。
本発明はこのような事情に鑑みなされたものであり、その目的はランプを効率よく冷却しつつ小型化、薄型化を図る上で有利なプロジェクタ装置を提供することにある。
【課題を解決するための手段】
【０００５】
上述の目的を達成するため、本発明のプロジェクタ装置は、筐体と、光を発生するランプと、前記ランプを収容し前記ランプで発生した光を反射させるレフレクタと、前記ランプを含む前記レフレクタの内部を冷却するための空気を前記レフレクタの内部に供給する空気供給口と、前記ランプを含む前記レフレクタの内部を冷却したのちの空気を前記レフレクタの外部に排出する空気排出口とを有する光源装置と、前記光源装置の光を用いて画像投影光束を生成し出射して画像をスクリーンに投影する映像投影部と、羽根車と、前記羽根車の外周を囲み前記羽根車の回転軸方向の両端が第１のファン吸入口およびファン排出口として形成されたケースと、前記羽根車の外周を囲む前記ケースの一部に形成された第２のファン吸入口とを有する軸流ファンとを備え、前記軸流ファンは、前記空気排出口の近傍に前記第２のファン吸入口を位置させて配置されている。
【発明の効果】
【０００６】
本発明によれば、ランプおよびレフレクタの内部を冷却したのちの温められた空気を第２のファン吸入口から軸流ファンに効率よく吸い込むので、光源装置を効率よく冷却しつつプロジェクタ装置のコンパクト化を図る上でも有利となる。
【図面の簡単な説明】
【０００７】
【図１】本実施の形態のプロジェクタ装置１０の内部構成を示す平面図である。
【図２】図１のＡ矢視図である。
【図３】図１のＢ矢視図である。
【図４】プロジェクタ装置１０を前方から見た斜視図である。
【図５】プロジェクタ装置１０を後方から見た斜視図である。
【図６】プロジェクタ装置１０の構成を示す構成図である。
【図７】カバー部材６４Ｂを除く軸流ファン５４の斜視図である。
【図８】カバー部材６４Ｂの斜視図である。
【図９】カバー部材６４Ｂで筒部６４０４を覆った斜視図である。
【図１０】軸流ファン５４の第１の変形例の分解斜視図である。
【図１１】軸流ファン５４の第１の変形例を示す斜視図である。
【図１２】軸流ファン５４の第２の変形例を示す斜視図である。
【図１３】本発明の光源装置２４および軸流ファン５４部分の概略平面図である。
【図１４】第１のファン吸入口５８とファン排出口６２のみを有する軸流ファン５５を備えた比較例の概略平面図である。
【発明を実施するための形態】
【０００８】
次に、本発明の実施の形態について図１乃至図１４を参照して説明する。
図４乃至図６に示すように、プロジェクタ装置１０は、筐体１２と、光源装置２４と、映像投影部２６と、軸流ファン５４（図１）と、第１の冷却用空気供給部７０（図１）と、第２の冷却用空気供給部７２（図１）とを含んで構成されている。
筐体１２は、高さと、高さよりも大きな寸法の長さと、長さよりも大きな寸法の幅とを有し、扁平な矩形板状に形成されている。
筐体１２は、前面１２Ａ、後面１２Ｂ、上面１２Ｃ、下面１２Ｄ、左右の側面１２Ｅ、１２Ｆを備えている。
なお、本実施の形態では、プロジェクタ装置１０をスクリーン側から見た状態で、スクリーン側を前方、その反対側を後方とし、左右はプロジェクタ装置１０を前方から見た状態でいうものとする。
【０００９】
図４に示すように、前面１２Ａに、幅方向の中央よりも右側面１２Ｆ寄りの箇所に開口部１４が設けられている。
筐体１２の内部で開口部１４の後方の箇所には後述する映像投影部２６の一部を構成する投影光学系４０が設けられている。
上面１２Ｃの幅方向の中央よりも右側面１２Ｆ寄りの箇所に、フォーカスリング１６Ａ、ズームリング１６Ｂが前後方向に間隔をおいてこの順番で前方から後方に並べて設けられている。
さらに、ズームリング１６Ｂの後方には、操作スイッチ１６Ｃ、メニュースイッチ１６Ｄ、入力選択スイッチ１６Ｅ、インジケータ１６Ｆ、電源スイッチ１６Ｇが前後方向に間隔をおいてこの順番で前方から後方に並べて設けられている。
【００１０】
フォーカスリング１６Ａは、投影光学系４０の焦点距離を調整しスクリーン上に投影される映像のピント調整を行う際に回転操作するものである。
ズームリング１６Ｂは、投影光学系４０の倍率を調整しスクリーン上に投影される映像の倍率調整を行う際に回転操作するものである。
操作スイッチ１６Ｃは、スクリーン上に投影されるメニュー画面に表示されるカーソルを動かす際に操作するものである。
メニュースイッチ１６Ｄは、スクリーン上にメニュー画面を表示させ、あるいは、メニュー画面の表示を停止する際に操作するものである。
入力選択スイッチ１６Ｅは、プロジェクタ装置１０に入力される複数の画像信号を切り換える際に操作するものである。
インジケータ１６Ｆは、後述する映像投影部２６の一部を構成するランプ４６（図６）の交換時期が来ていること、あるいは、ランプ４６の温度が所定温度よりも高いことなどを表示するものである。
電源スイッチ１６Ｇは、プロジェクタ装置１０の電源のオン、オフを行うものである。
図６に示すように、プロジェクタ装置１０は、さらに電源部３０を備えている。
電源部３０は、ランプ４６に電力を供給するものであり、図２に示すように、複数のプリント基板３００２と、それらプリント基板３００２に実装されたコンデンサー、ＩＣ、電源トランスなどの電子部品とを含んで構成されている。なお、複数のプリント基板３００２は上下方向に間隔をおき、あるいは、水平方向に間隔をおき、積層されている。後述するように、第２の供給路７２Ａを流れる冷却用の空気が電源部３０において複数のプリント基板３００２の間を通過し電源部３０を冷却する。
前記電子部品は電源部３０によるランプ４６への電力供給動作に伴って発熱するため、電源部３０に冷却用の空気を当てて冷却することが電源部３０の動作の安定化を図る上で必要となる。
【００１１】
なお、図５において符号１２０２は、プロジェクタ装置１０を載置面に載置するために下面１２Ｄの後方寄りで幅方向の中央に設けられた脚部を示している。
また、符号１２０４はプロジェクタ装置１０を載置面に載置した状態でプロジェクタ装置１０を上下に揺動する２つの調整ねじを示す。これら調整ねじ１２０４を調整することにより、投影光学系４０の光軸を上下に変位させてスクリーン上に投影される映像の位置を調整する。
また、符号１８は、パーソナルコンピュータなどの外部装置から供給される画像信号を入力するための外部信号入力コネクタを示す。
【００１２】
図１、図５に示すように、下面１２Ｄの右後方寄りの箇所には、筐体１２外部の空気を筐体１２内部に取り込むための第１の吸入口２０Ａが設けられている。
また、下面１２Ｄの右前方寄り箇所には、筐体１２外部の空気を筐体１２内部に取り込むための第２の吸入口２０Ｂが設けられている。
図１に示すように、第１の給気口２０Ａと第２の給気口２０Ｂに筐体１２の外部の空気を筐体１２内に吸い込むファン４２、４４がそれぞれ設けられている。
また、図１、図５に示すように、後面１２Ｂの左側面１２Ｅ寄り箇所には、筐体１２内部の空気を筐体１２外部に排出するための第１の排気口２２Ａが設けられている。
また、左側面１２Ｅの後面１２Ｂ寄り箇所には、筐体１２内部の空気を筐体１２外部に排出するための第２の排気口２２Ｂが設けられている。
本実施の形態では、後面１２Ｂと左側面１２Ｅとが、特許請求の範囲の互いに直交する第１の側面と第２の側面に相当している。
【００１３】
図６に示すように、映像投影部２６は、光源装置２４の光を用いて画像投影光束を生成し開口部１４から出射して画像をスクリーン２に投影するものである。
映像投影部２６は、照明光学部３２、分離部３４、画像変調部３６、画像合成部３８、投影光学系４０を含んで構成されている。
照明光学部３２は、光源装置２４から出射された光の一部をカットし該光の照度を均一として分離部３４に導くものである。
本実施の形態では、照明光学部３２は、紫外線および赤外線をカットする紫外線、赤外線カットフィルタ３２Ａ、光の照度を均一化するための２枚のフライアイレンズ３２Ｂ、３２Ｃ、偏光変換素子３２Ｄ、コンデンサーレンズ３２Ｅなどを含んで構成されている。
なお、紫外線、赤外線カットフィルタ３２Ａによって光源装置２４から出射された光に含まれる紫外線および赤外線をカットすることで、分離部３４、画像変調部３６、画像合成部３８、投影光学系４０を構成する各種光学部品の加熱や劣化の防止が図られている。
【００１４】
分離部３４は、照明光学部３２から導かれた照度が均一化された光（白色光）を赤色（Ｒ）、緑色（Ｇ）、青色（Ｂ）の３色の光に分離するものである。
分離部３４は、例えば、複数のダイクロイックミラーなどを含んで構成されている。
詳細に説明すると、本実施の形態では、分離部３４は、第１、第２のダイクロイックミラー３４０２、３４０４、第１乃至第３のミラー３４０６、３４０８、３４１０で構成されている。
第１のダイクロイックミラー３４０２は、照明光学部３２から導かれた光のうち、赤色（Ｒ）および緑色（Ｇ）の光を透過し、かつ、青色（Ｂ）の光を反射するように構成されている。
第２のダイクロイックミラー３４０４は、第１のダイクロイックミラー３４０２を透過した赤色（Ｒ）および緑色（Ｇ）の光のうち、赤色（Ｒ）の光を透過し、かつ、緑色（Ｇ）の光を反射するように構成されている。
したがって、照明光学部３２から第１のダイクロイックミラー３４０２に導かれた光は、第１のダイクロイックミラー３４０２により、青色（Ｂ）の光と、赤色（Ｒ）および緑色（Ｇ）の光との２つの光に分離される。
第１のダイクロイックミラー３４０２で分離された青色（Ｂ）の光は第１のミラー３４０６によって反射される。
第１のダイクロイックミラー３４０２で分離された赤色（Ｒ）および緑色（Ｇ）の光のうち、緑色（Ｇ）の光は第２のダイクロイックミラー３４０４に至る。
第１のダイクロイックミラー３４０２で分離された赤色（Ｒ）および緑色（Ｇ）の光のうち、赤色（Ｒ）の光は第２のダイクロイックミラー３４０４を透過し第２のミラー３４０８を介して第３のミラー３４１０に至りこの第３のミラー３４１０で反射される。
このようにして分離部３４で分離された赤色（Ｒ）、緑色（Ｇ）、青色（Ｂ）の光が分離部３４から画像変調部３６に向けてそれぞれ出射される。
なお、分離部３４は照明光学部３２から導かれた光（白色光）を赤色（Ｒ）、緑色（Ｇ）、青色（Ｂ）の３色の光に分離する機能を有するものであればよく、分離部３４として従来公知のさまざまな構成が採用可能であることは無論である。
【００１５】
画像変調部３６は、分離部３４から導かれる赤色（Ｒ）、緑色（Ｇ）、青色（Ｂ）の３つの光をそれぞれ画像情報に基づいて変調し、画像合成部３８に供給するものである。
画像変調部３６は、赤色（Ｒ）、緑色（Ｇ）、青色（Ｂ）の３つの光のそれぞれに対応した第１乃至第３の画像変調素子３６Ｒ、３６Ｇ、３６Ｂを有している。
本実施の形態では、第１乃至第３の画像変調素子３６Ｒ、３６Ｇ、３６Ｂは、透過型の液晶表示装置（液晶ライトバルブ）で構成されている。
前記液晶表示装置は、液晶層を封止する２枚の透明基板を有する液晶表示装置本体と、液晶表示装置本体に組み込まれた偏光板とを含んで構成されている。
第１乃至第３の画像変調素子３６Ｒ、３６Ｇ、３６Ｂは、画像が表示される表示面が形成されている。
第１乃至第３の画像変調素子３６Ｒ、３６Ｇ、３６Ｂは、不図示の制御部から供給される赤、緑、青の３色の画像情報に対応する映像信号（駆動信号）が供給されることで画像を表示面に表示させる。
分離部３４から画像変調部３６に出射された赤色（Ｒ）の光は、第１の画像変調素子３６Ｒに照射されこの第１の画像変調素子３６Ｒを透過することで前記画像情報に基づいて変調された後、画像合成部３８に導かれる。
分離部３４から画像変調部３６に出射された緑色（Ｇ）の光は、第２の画像変調素子３６Ｇに照射されこの第２の画像変調素子３６Ｇを透過することで前記画像情報に基づいて変調された後、画像合成部３８に導かれる。
分離部３４から画像変調部３６に出射された青色（Ｂ）の光は、第３の画像変調素子３６Ｂに照射されこの第３の画像変調素子３６Ｂを透過することで前記画像情報に基づいて変調された後、画像合成部３８に導かれる。
なお、第１乃至第３の画像変調素子３６Ｒ、３６Ｇ、３６Ｂは、透過型の液晶表示装置のほか、反射型の液晶表示装置を用いてもよく、従来公知のさまざまな画像表示装置を用いることができる。また、前記画像表示装置は、前記の液晶表示装置を用いたものに限定されず、従来公知の様々な方式のものが採用可能である。
【００１６】
画像合成部３８は、画像変調部３６によって変調された赤色（Ｒ）、緑色（Ｇ）、青色（Ｂ）の３つの光を合成することで１つの画像投影光を生成し、その画像投影光を投影光学系４０に導くものである。
本実施の形態では、画像合成部３８は、クロスプリズム３８Ａで構成されている。
クロスプリズム３８Ａは、第１乃至第３の画像変調素子３６Ｒ、３６Ｇ、３６Ｂからの光が入射される互いに直交する３つの入射面３８０２、３８０４、３８０６を有している。
また、クロスプリズム３８Ａは、赤色（Ｒ）、緑色（Ｇ）、青色（Ｂ）の３つの光を合成することで生成した画像投影光を出射する出射面３８０８を備えている。
また、画像合成部３８は赤色（Ｒ）、緑色（Ｇ）、青色（Ｂ）の３つの光を合成することで１つの画像投影光を生成するものであればよく、クロスプリズム３８Ａに限定されず、従来公知のさまざまな光学素子を用いることができる。
【００１７】
投影光学系４０は、画像合成部３８から導かれた前記画像投影光を入射してスクリーン２に投射するものであり、複数のレンズを含んで構成されている。
【００１８】
次に、本発明の要旨である光源装置２４について説明する。
図１、図１３に示すように、光源装置２４は、ランプ４６と、レフレクタ４８と、空気供給口５０と、空気排出口５２とを有している。
ランプ４６は、電源スイッチ１６Ｇの投入により電源部３０から供給される電源によって駆動されることにより画像投影用光を生成するものであり、可視域でスペクトルを有する光を照射する白色光源が用いられる。
このようなランプ４６として、キセノンランプ、高圧水銀ランプ、メタルハライドランプなどの連続スペクトルの光源など従来公知のさまざまな光源を用いることができる。
ランプ４６は、発光動作に伴い高温となることから、ランプ４６に冷却用の空気を当てて冷却することがランプ４６の輝度を確保し、また、ランプ４６の寿命を延ばす上で必要となる。
【００１９】
ランプ４６は、レフレクタ４８に収容されている。
レフレクタ４８は、ランプ４６で発生した光を映像投影部２６に向けて反射させるものである。
レフレクタ４８は湾曲状を呈し、その内面が反射面で形成されたレフレクタ本体４８０２を有している。
レフレクタ本体４８０２の前端は、円形の筒状を呈し開放されており、光が出射される前端部４８Ａとして形成されている。
レフレクタ本体４８０２の前端部４８Ａと反対側に位置する端部は後端部４８Ｂとして形成されている。
レフレクタ本体４８０２の前端部４８Ａと後端部４８Ｂとを接続する箇所は側部４８Ｃとして形成されている。
なお、図１、図３において符号４９はレフレクタ本体４８０２の前端部４８Ａの開口を覆う保護用の透明なガラス板を示す。
【００２０】
空気供給口５０は、ランプ４６を含むレフレクタ４８の内部を冷却するための空気をレフレクタ４８の内部に供給するためのものである。
空気排出口５２は、ランプ４６を含むレフレクタ４８の内部を冷却したのちの空気をレフレクタ４８の外部に排出するためのものである。
空気供給口５０と空気排出口５２は前端部４８Ａの互いに離された箇所に形成されている。
【００２１】
図７乃至図９に示すように、軸流ファン５４は、羽根車５６、第１のファン吸入口５８、第２のファン吸入口６０、ファン排出口６２、ケース６４を備えている。
羽根車５６は、回転軸５６Ａと、この回転軸５６Ａに取着された羽根５６Ｂとを含んで構成されている。
軸流ファン５４は、回転軸５６Ａを回転駆動する不図示のモータを備えている。
ケース６４は、ケース本体６４Ａとカバー部材６４Ｂとを有している。
ケース本体６４Ａは、第１のファン吸入口５８が円形に開口された板部６４０２と、開口の周囲から起立し羽根車５６が収容される円柱状の空間を仕切る筒部６４０４とを備えている。
ファン排出口６２は、筒部６４０４の板部６４０２と反対に位置する円形の縁部により形成されている。
筒部６４０４は、その全周にわたり該筒部６４０４の内部と外部とを連通する空気流通部６６が形成されている。
図８に示すように、カバー部材６４Ｂは矩形状の本体板部６４１０と、本体板部６４１０の端部から折り曲げられた屈曲板部６４１２とを有している。
本体板部６４１０は、図１乃至図３、図９に示すように、上面１２Ｃ側に取着され筒部６４０４の上部を覆っており、屈曲板部６４１２は筒部６４０４の左側部を覆っている。
なお、筒部６４０４の下部は、下面１２Ｄで覆われている。
したがって、図１に示すように、筒部６４０４の右側部に空気流通部６６が露出されこの露出された空気流通部６６により第２のファン吸入口６０が構成されている。
すなわち、第２のファン吸入口６０は、カバー部材６４Ｂから露出する筒部６４０４の周方向の一部の空気流通部６６で構成されている。
図１に示すように、羽根車５６が回転することにより空気は、第１のファン吸入口５８および第２のファン吸入口６０から筒部６４０４の内部に吸い込まれ、ファン排出口６２から排出される。
【００２２】
なお、カバー部材６４Ｂは、例えば、図１０乃至図１２に示すものであってもよい。
図１０、図１１に示すカバー部材６４Ｂは、筒状を呈している。
カバー部材６４Ｂは筒部６４０４の外周に装着され、筒部６４０４の周方向の一部の空気流通部６６を露出させると共に残りの空気流通部６６を閉塞している。
この例では、カバー部材６４Ｂから露出する空気流通部６６により第２のファン吸入口６０が構成されている。
この例では、カバー部材６４Ｂを筒部６４０４上で回転させることにより第２のファン吸入口６０の位置を調節することができる。
図１２に示すカバー部材６４Ｂは、ケース６４の筒部６４０４と一体に形成されており、カバー部材６４Ｂの一部に、複数の孔やスリットが形成されることで第２のファン吸入口６０が構成される。
【００２３】
図１に示すように、軸流ファン５４は、第１の排気口２２Ａにファン排出口６２を対向させかつ第２のファン吸入口６０が第２の側面（左側面１２Ｅ）の反対側に位置するように配置されている。
レフレクタ４８は次のように配置されている。
すなわち、筐体１２の内部でファン排出口６２と第１の排気口２２Ａの間に、前端部４８Ａを除いた側部４８Ｃの両側をファン排出口６２および第１の排気口２２Ａに対向させている。
また、後端部４８Ｂを第２の排気口２２Ｂに対向させている。
さらに空気排出口５２が第２のファン吸入口６０の近傍に位置するように配置されている。
【００２４】
第１の冷却用空気供給部７０は、第１の供給路７０Ａと第１の排気路７０Ｂとを有している。
第１の供給路７０Ａは、筐体１２外部の空気を筐体１２の内部に吸い込んでレフレクタ４８の内部に供給するものである。
本実施の形態では、ファン４２により第１の吸入口２０Ａから吸い込まれた空気がダクト７４を介してレフレクタ４８の空気供給口５０に供給され、したがって、第１の供給路７０Ａは、第１の吸入口２０Ａとダクト７４により構成されている。
第１の排気路７０Ｂは、ランプ４６を含むレフレクタ４８の内部を冷却したのちの空気を筐体の外部に排出するものである。
本実施の形態では、第１の排気路７０Ｂは、第１の排気経路７６Ａと第２の排気経路７６Ｂとを有している。
第１の排気経路７６Ａは、ランプ４６を含むレフレクタ４８の内部を冷却したのちの空気が、空気排出口５２からレフレクタ４８の外部に排出され筐体１２の内部空間を通って第２のファン吸入口６０に至る経路である。
第２の排気経路７６Ｂは、第１の排気経路７６Ａに続きランプ４６を冷却したのちの空気が、ファン排出口６２から側部４８Ｃを冷却したのち第１の排気口２２Ａおよび第２の排気口２２Ｂから筐体１２の外部に排出される経路を有している。
【００２５】
第２の冷却用空気供給部７２は、第２の供給路７２Ａと第２の排気路７２Ｂとを有している。
第２の供給路７２Ａは、ファン４４により第２の吸入口２０Ｂから筐体１２外部の空気を吸い込んで光源装置２４以外の箇所を冷却するものである。ここで、光源装置２４以外の箇所とは例えば電源部３０である。
電源部３０では、前述したように冷却用の空気が複数のプリント基板３００２の間を通過する。
第２の排気路７２Ｂは、光源装置２４以外の箇所を冷却したのちの空気を筐体１２の外部に排出する。
第２の供給路７２Ａの下流端は筐体１２の内部空間を通って第１のファン吸入口５８に連通されている。
第２の排気路７２Ｂは、前記第２の排気経路７６Ｂで構成され、言い換えると、第２の排気経路７６Ｂを第１の排気路７０Ｂと共有している。
すなわち、第２の排気路７２Ｂ（第２の排気経路７６Ｂ）は、光源装置２４以外の箇所を冷却したのちの空気を第１のファン吸入口５８からケース６４内に吸い込み、ランプ４６を冷却したのちの空気と合流させる。そして、側部４８Ｃを冷却したのち第１の排気口２２Ａおよび第２の排気口２２Ｂから筐体１２の外部に排出する。
【００２６】
本実施の形態によれば、電源部３０とレフレクタ４８との間の筐体１２の内部空間に停滞しがちな、ランプ４６およびレフレクタ４８の内部を冷却したのちの温められた空気を第２のファン吸入口６０から軸流ファン５４に効率よく吸い込む。そして、第１の排気路７０Ｂから筐体１２の外部に排出する。
したがって、ランプ４６を含んだ光源装置２４を効率よく冷却する上で有利となる。
【００２７】
また、光源装置２４を効率よく冷却しつつプロジェクタ装置１０のコンパクト化を図る上でも有利となる。
図１３、図１４を参照して詳細に説明する。
図１３は本発明の光源装置２４および軸流ファン５４部分の概略平面図を示している。
図１４は、本発明の第２のファン吸入口６０を有さず、第１のファン吸入口５８とファン排出口６２のみを有する軸流ファン５５を備えた比較例を示している。
比較例では、第１のファン吸入口５８にランプ４６およびレフレクタ４８の内部を冷却したのちの温められた空気を導くために、電源部３０の側面３０Ａと第１のファン吸入口５８との間に隙間Ｓ１を確保しなければならない。
すなわち、軸流ファン５５を電源部３０の側面３０Ａから隙間Ｓ１離して配置しなくてはならない。
これに対して本発明では、軸流ファン５４の側部に第２のファン吸入口６０を設けたので、ランプ４６およびレフレクタ４８の内部を冷却したのちの温められた空気は軸流ファン５４の側部から吸い込まれる。
したがって、軸流ファンを電源部３０の側面３０Ａに近接して配置でき、隙間Ｓ１を確保する必要がなくなる。
したがって、プロジェクタ装置１０のコンパクト化を図る上で有利となる。
【符号の説明】
【００２８】
１０……プロジェクタ装置、１２……筐体、２４……光源装置、２６……映像投影部、４６……ランプ、４８……レフレクタ、５０……空気供給口、５２……空気排出口、５４……軸流ファン、５６……羽根車、５８……第１のファン吸入口、６０……第２のファン吸入口、６２……ファン排出口。
【図１】
2010181579.tif 000003
【図２】
2010181579.tif 000004
【図３】
2010181579.tif 000005
【図４】
2010181579.tif 000006
【図５】
2010181579.tif 000007
【図６】
2010181579.tif 000008
【図７】
2010181579.tif 000009
【図８】
2010181579.tif 000010
【図９】
2010181579.tif 000011
【図１０】
2010181579.tif 000012
【図１１】
2010181579.tif 000013
【図１２】
2010181579.tif 000014
【図１３】
2010181579.tif 000015
【図１４】
2010181579.tif 000016